(57)【要約】【課題】ゴミの発生の防止等を実現することができる立体提供方法等を提供する。【解決手段】パーソナルコンピュータ１１及び射出成形機１２を含み、菓子に同封された紙片に記載されているＵＲＬ及びパスワードを用いてサーバ２０にアクセスし、菓子の景品としての立体を成形又は成型するための３次元データをサーバ２０から受信し、受信した３次元データを用いて立体を成形又は成型する端末１０と、端末１０からのアクセスに応じて、立体を成形又は成型するための３次元データを端末１０に送信するサーバ２０とを具備する。【選択図】  図１
2004272434.tif 000002
【特許請求の範囲】
【請求項１】
立体を成形又は成型する機能を有する端末とサーバとの間で通信することにより、立体を提供するための方法であって、
前記端末において、商品、商品の包装、又は、商品の添付物に記録されている第１の情報を用いて前記サーバにアクセスするステップ（ａ）と、
前記サーバにおいて、前記端末からのアクセスに応じて、立体を成形又は成型するための第２の情報を前記端末に送信するステップ（ｂ）と、
前記端末において、前記サーバから受信した前記第２の情報を用いて立体を成形又は成型するステップ（ｃ）と、
を具備する立体提供方法。
【請求項２】
前記端末において成形又は成型される立体が、前記商品の景品としての立体である、請求項１記載の立体提供方法。
【請求項３】
ステップ（ｂ）が、前記サーバにおいて、複数の立体を成形又は成型するための複数の情報の中から前記第１の情報に応じた情報を選択し、選択した情報を前記第２の情報として前記端末に送信することを含む、請求項１又は２記載の立体提供方法。
【請求項４】
前記端末において、ユーザが所望する立体を成形又は成型するための情報の送信を前記サーバに要求するステップを更に具備し、ステップ（ｂ）が、前記サーバにおいて、複数の立体を成形又は成型するための複数の情報の中からユーザが所望する立体を成形又は成型するための情報を選択し、選択した情報を前記第２の情報として前記端末に送信することを含む、請求項１又は２記載の立体提供方法。
【請求項５】
ステップ（ｂ）が、ユーザが所望する立体を成形又は成型するための情報を有償で送信することを含む、請求項４記載の立体提供方法。
【請求項６】
前記端末において、前記第２の情報をモディファイするステップ（ｄ）を更に具備する、請求項１〜５のいずれか１項に記載の立体提供方法。
【請求項７】
ステップ（ｄ）が、前記第２の情報を有償でモディファイすることを含む、請求項６記載の立体提供方法。
【請求項８】
立体を成形又は成型する機能を有する端末と、サーバとを具備し、立体を提供するためのシステムであって、
前記端末が、商品、商品の包装、又は、商品の添付物に記録されている第１の情報を用いて前記サーバにアクセスし、立体を成形又は成型するための第２の情報を前記サーバから受信し、受信した前記第２の情報を用いて立体を成形又は成型し、
前記サーバが、前記端末からのアクセスに応じて、立体を成形又は成型するための第２の情報を前記端末に送信する、立体提供システム。
【請求項９】
立体を成形又は成型する機能を有する端末とサーバとの間で通信することにより立体を提供するためのプログラムであって、
前記端末において、商品、商品の包装、又は、商品の添付物に記録されている第１の情報を用いて前記サーバにアクセスする手順（ａ）と、
前記サーバにおいて、前記端末からのアクセスに応じて、立体を成形又は成型するための第２の情報を前記端末に送信する手順（ｂ）と、
前記端末において、前記サーバから受信した前記第２の情報を用いて立体を成形又は成型する手順（ｃ）と、
をＣＰＵに実行させる立体提供プログラム。
【発明の詳細な説明】
【０００１】
【発明の属する技術分野】
本発明は、立体を提供するための方法に関し、さらに、そのような立体を提供するためのシステム、及び、立体を提供するためのプログラムに関する。
【０００２】
【従来の技術】
従来より、樹脂等で構成された景品（例えば、動物、漫画のキャラクター等の形状を有する玩具等）を菓子等に添付することが、行われている。
【０００３】
しかしながら、景品を菓子等に添付するために、菓子等の製造工程、包装工程、品質管理工程等が増加し、製造コスト、包装コスト、品質管理コスト等の増大を招く場合があった。
また、景品の菓子等への添付により、菓子等のパッケージが大きくなり、物流コスト、販売店における販売コスト等の増大を招く場合があった。
【０００４】
さらに、ユーザが新規に菓子等を購入した場合に、以前に購入した菓子等に添付されていた景品と同じ景品が新規に購入した菓子等に添付されている場合がある。このような場合には、一方の景品がゴミとして廃棄されることが多く、地球環境に悪影響を及ぼすこととなっていた。
また、景品の形状、色彩等をモディファイすることができないため、ユーザは、景品に不満な箇所があっても、認容せざるを得なかった。
【０００５】
ところで、インクジェットヘッドを用いた三次元成形装置が知られている（例えば、特許文献１参照）。
【０００６】
しかしながら、特許文献１に掲載された三次元成形装置は、三次元成形品を製造するものではあるが、立体を成形又は成型する機能を有する端末とサーバとの間で通信することにより立体を提供するためのものではない。
【０００７】
【特許文献１】
特開平２−３０７７３０号公報（第１頁、図１）
【０００８】
【発明が解決しようとする課題】
そこで、上記の点に鑑み、本発明は、立体を成形又は成型する機能を有する端末とサーバとの間で通信することにより立体を提供するための方法を提供することを目的とする。さらに、本発明は、そのような立体を提供するためのシステム、及び、立体を提供するためのプログラムを提供することを目的とする。
【０００９】
【課題を解決するための手段】
以上の課題を解決するため、本発明に係る立体提供方法は、立体を成形又は成型する機能を有する端末とサーバとの間で通信することにより、立体を提供するための方法であって、端末において、商品、商品の包装、又は、商品の添付物に記録されている第１の情報を用いてサーバにアクセスするステップ（ａ）と、サーバにおいて、端末からのアクセスに応じて、立体を成形又は成型するための第２の情報を端末に送信するステップ（ｂ）と、端末において、サーバから受信した第２の情報を用いて立体を成形又は成型するステップ（ｃ）とを具備する。
【００１０】
ここで、端末において成形又は成型される立体が、商品の景品としての立体であることとしても良い。
また、ステップ（ｂ）が、サーバにおいて、複数の立体を成形又は成型するための複数の情報の中から第１の情報に応じた情報を選択し、選択した情報を第２の情報として端末に送信することを含むようにしても良い。
【００１１】
また、端末において、ユーザが所望する立体を成形又は成型するための情報の送信をサーバに要求するステップを更に具備し、ステップ（ｂ）が、サーバにおいて、複数の立体を成形又は成型するための複数の情報の中からユーザが所望する立体を成形又は成型するための情報を選択し、選択した情報を第２の情報として端末に送信することを含むようにしても良い。このとき、ステップ（ｂ）が、ユーザが所望する立体を成形又は成型するための情報を有償で送信することを含むようにしても良い。
【００１２】
また、端末において、第２の情報をモディファイするステップ（ｄ）を更に具備することとしても良い。このとき、ステップ（ｄ）が、第２の情報を有償でモディファイすることを含むようにしても良い。
【００１３】
また、上記した課題を解決するため、本発明に係る立体提供システムは、立体を成形又は成型する機能を有する端末と、サーバとを具備し、立体を提供するためのシステムであって、端末が、商品、商品の包装、又は、商品の添付物に記録されている第１の情報を用いてサーバにアクセスし、立体を成形又は成型するための第２の情報をサーバから受信し、受信した第２の情報を用いて立体を成形又は成型し、サーバが、端末からのアクセスに応じて、立体を成形又は成型するための第２の情報を端末に送信する。
【００１４】
また、上記した課題を解決するため、本発明に係る立体提供プログラムは、立体を成形又は成型する機能を有する端末とサーバとの間で通信することにより立体を提供するためのプログラムであって、端末において、商品、商品の包装、又は、商品の添付物に記録されている第１の情報を用いてサーバにアクセスする手順（ａ）と、サーバにおいて、端末からのアクセスに応じて、立体を成形又は成型するための第２の情報を端末に送信する手順（ｂ）と、端末において、サーバから受信した第２の情報を用いて立体を成形又は成型する手順（ｃ）とをＣＰＵに実行させる。
【００１５】
上記のように構成した本発明によれば、製造コスト等の低減、ゴミの発生の防止、ユーザの満足度の向上等が可能となる。
【００１６】
【発明の実施の形態】
以下、図面に基づいて本発明の実施の形態について説明する。
図１は、本発明の一実施形態に係る立体を提供するためのシステムを示す図である。本実施形態は、本発明を菓子の景品としての立体を提供するためのシステムに適用したものである。
図１に示すように、システム１は、消費者（ユーザ）の自宅に設置された端末１０と、食品製造企業の本社内に設置されたサーバ２０とを具備する。端末１０とサーバ２０は、インターネットを介して通信可能となっている。
【００１７】
端末１０は、パーソナルコンピュータ（ＰＣ）１１と、射出成形機１２とを具備する。
射出成形機１２は、工場等で用いられている工業用の射出成型機又は射出成形機とは異なり、簡易的且つ安価なものであり、一般家庭で購入及び使用可能なものである。
【００１８】
次に、本実施形態に係る立体を提供するためのシステムの動作について、図１及び図２を参照しながら説明する。図２は、立体を提供するためのシステムの処理を示すフローチャートである。
図１に示すように、食品製造企業の工場において、菓子が生産される。この菓子には、サーバ２０にアクセスするための情報としてのＵＲＬ（Ｕｎｉｆｏｒｍ  Ｒｅｓｏｕｒｃｅ  Ｌｏｃａｔｏｒ）及びパスワードの対を印字した紙片が同封され、菓子販売店に出荷される。ＵＲＬ及びパスワードの対は、菓子の景品としての複数の立体に応じて複数用意されており、各々の菓子には、複数のＵＲＬ及びパスワードの対の中のいずれかのＵＲＬ及びパスワードの対が記載された紙片が封入される。
【００１９】
ユーザは、菓子販売店において菓子を購入し、帰宅する。なお、ここでは、ユーザが購入した菓子には、犬の形状を有する玩具を成形又は成型するための３次元データを受信するためのＵＲＬ及びパスワードを記載した紙片が同封されているものとする。
ユーザは、菓子に同封された紙片に記載されているＵＲＬをＰＣ１１に入力し、ＰＣ１１は、入力されたＵＲＬによって特定されるサーバ２０にアクセスする（ステップＳ１１）。
【００２０】
サーバ２０は、ＰＣ１１からアクセスを受けると、パスワードをＰＣ１１に要求する（ステップＳ２１）。
サーバ２０からパスワード要求を受けると、ユーザは、菓子に同封された紙片に記載されているパスワードをＰＣ１１に入力し、ＰＣ１１は、入力されたパスワードをサーバ２０に送信する（ステップＳ１２）。
サーバ２０は、パスワードをＰＣ１１から受信すると、正当なパスワードであるか否かのチェックを行う（ステップＳ２２）。
【００２１】
次に、ＰＣ１１は、犬の形状を有する玩具を成形又は成型するための３次元データの送信をサーバ２０に要求する（ステップＳ１３）。なお、ユーザが、犬の形状を有する玩具に代えて他の立体（例えば、猫の形状を有する玩具等）を所望する場合（例えば、ユーザが既に犬の形状を有する玩具を所持している場合等）には、所望する立体を特定するデータをＰＣ１１に入力し、ＰＣ１１が、入力されたデータをサーバ２０に送信することとしても良い。
【００２２】
サーバ２０には、複数の立体を成形又は成型するための複数の３次元データが格納されており（例えば、種々の動物の玩具を成形又は成型するための複数の３次元データ等）、サーバ２０は、３次元データの送信要求をＰＣ１１から受信すると、格納されている複数の３次元データの中から犬の形状を有する玩具を成形又は成型するための３次元データを選択して、ＰＣ１１に送信する（ステップＳ２３）。なお、サーバ２０が、ユーザが所望する立体（例えば、猫の形状を有する玩具等）を特定するデータをＰＣ１１から受信した場合に、犬の形状を有する玩具を成形又は成型するための３次元データに代えて、ユーザが所望する立体を成形又は成型するための３次元データをＰＣ１１に送信することとしても良い。このとき、ユーザが購入した菓子に同封された紙片に記載されているＵＲＬ及びパスワードによって受信可能な３次元データ（ここでは、犬の形状を有する玩具を成形又は成型するための３次元データ）に代えて、ユーザが所望する立体を成形又は成型するための３次元データ（ここでは、猫の形状を有する玩具を成形又は成型するための３次元データ）を送信することを、有償としても良い。
【００２３】
ＰＣ１１は、犬の形状を有する玩具を成形又は成型するための３次元データをサーバ２０から受信すると、受信した３次元データを用いて、射出成形機１２に犬の形状を有する玩具の成形を指示し、射出成形機１２は、犬の形状を有する玩具の成形を行う（ステップＳ１４）。これにより、ユーザ宅において、犬の形状を有する玩具を提供することができる。
なお、ＰＣ１１において、サーバ２０から受信した３次元データをモディファイ（例えば、形状、色彩等の変更）可能としても良い。このとき、３次元データのモディファイを有償としても良い。
【００２４】
このように、システム１によれば、菓子の景品としての立体をユーザ宅で提供することができるので、菓子の製造工程、包装工程、品質管理工程等を簡略化することができ、製造コスト、包装コスト、品質管理コスト等を低減することができる。また、菓子のパッケージを小さくすることができ、物流コスト、販売店における販売コスト等を低減することができるとともに、ユーザが菓子を自宅に持ち帰ることを容易にすることができる。
【００２５】
また、菓子に同封された紙片に記載されたＵＲＬ及びパスワードによって受信可能な３次元データ（ここでは、犬の形状を有する玩具を成形又は成型するための３次元データ）に代えてユーザが所望する立体を成形又は成型するための３次元データ（ここでは、猫の形状を有する玩具を成形又は成型するための３次元データ）を送信することとすれば、無駄な立体（ここでは、犬の形状を有する玩具）の成形又は成型を防止することができ、ゴミの発生を防止し、地球環境への悪影響を防止することができる。このとき、購入した菓子に同封された紙片に記載されているＵＲＬ及びパスワードによって受信可能な３次元データ（ここでは、犬の形状を有する玩具を成形又は成型するための３次元データ）に代えてユーザが所望する立体を成形又は成型するための３次元データ（ここでは、猫の形状を有する玩具を成形又は成型するための３次元データ）を送信することを有償とすれば、景品としての立体に関する著作権を有する著作権者へのロイヤリティ等に充当することができる。
【００２６】
また、ＰＣ１１において、サーバ２０から受信した３次元データをモディファイ可能とすれば、ゴミの発生を防止するとともに、ユーザの満足度を向上させることができる。このとき、３次元データのモディファイを有償とすれば、景品としての立体に関する著作権を有する著作権者へのロイヤリティ等に充当することができる。
【００２７】
なお、本実施形態においては、ＵＲＬ及びパスワードが記載された紙片が菓子に同封されていることとしているが、ＵＲＬ及びパスワードを符号化したコードが記載された紙片が菓子に同封されることとしてもよいし、菓子又は菓子の包装にＵＲＬ及びパスワード又はコードを記載することとしてもよい。
また、本実施形態においては、サーバ２０が、菓子の景品としての立体を成形又は成型するための３次元データをＰＣ１１に送信することとしているが、他の形式のデータをＰＣ１１に送信することとしても良いし、プログラム（例えば、ＮＣ（Ｎｕｍｅｒｉｃａｌ  Ｃｏｎｔｒｏｌ）装置等で用いられるＧコマンドと呼ばれるコマンドによって構成されるプログラム等）をＰＣ１１に送信することとしても良い。また、ＰＣ１１に代えて、携帯電話装置を用いることとしても良い。
【図面の簡単な説明】
【図１】本発明の実施形態に係る立体を提供するためのシステムを示す図。
【図２】立体を提供するためのシステムの処理を示すフローチャート。
【符号の説明】
１  立体を提供するためのシステム
１０  端末
１１  パーソナルコンピュータ
１２  射出成形機
２０  サーバ
【図１】
2004272434.tif 000003
【図２】
2004272434.tif 000004